(57)【要約】【課題】発泡性樹脂の注入口を簡単な作業で塞ぎ、発泡圧力を重しなしで抑え、また、監視作業も不要でパッドの注型作業をミスなく安全に行えると共に、カメラ操作者の体型と操作法の要望に応じた対応を安価にとることもできるパッドの注型成型用治具を提供する。【解決手段】パッドの素材となる発泡性樹脂を注入し、発泡完了して注型品を抽出する際のパッドの注型用治具であって、コア部１およびキャビティ部２より成る任意の型と、前記型を挟み込み、締結手段（８、９）により締結される下側抑え板６および上側抑え板７とを備え、上側抑え板７には、発泡性樹脂を注入する注入口１５及び当該注入口を閉じるための注入口栓１４を設ける。また、注入口栓１４は、上側抑え板にレバー１２と共に固定支持され、レバー１２の動作に応じて注入口１５を開閉し、注入口を閉じた際にレバーをロックすることで、注入口栓が閉じた状態にてロックされる。【選択図】　　　　図２
2004009590.tif 000002
【特許請求の範囲】
【請求項１】
パッドの素材となる発泡性樹脂を注入し、発泡完了して注型品を抽出する際のパッドの注型用治具であって、
コア部およびキャビティ部より成る任意の型と、
前記型を挟み込み、締結手段により締結される下側抑え板および上側抑え板と
を備え、
前記上側抑え板には、発泡性樹脂を注入する注入口及び当該注入口を閉じるための注入口栓を設けたことを特徴とするパッドの注型用治具。
【請求項２】
請求項１に記載のパッドの注型用治具において、
前記コア部およびキャビティ部よりなる任意の型としては、積層法、形状転写法、高速切削法等のラピッドプロトタイピング技術を用いて作成された型が含まれることを特徴とするパッドの注型用治具。
【請求項３】
請求項１又は請求項２に記載のパッドの注型用治具において、
前記注入口栓は、前記上側抑え板にレバーと共に固定支持され、レバーの動作に応じて注入口を開閉し、注入口を閉じた際にレバーをロックすることで、注入口栓が閉じた状態にてロックされることを特徴とするパッドの注型用治具。
【発明の詳細な説明】
【０００１】
【発明の属する技術分野】
本発明は、発泡性樹脂を用いてカメラ操作者の体型と操作法の要望に応じて自由に形状と硬度を変え、肩にフィット感を与えるパッドの注型成型用治具に関するものである。
【０００２】
【従来の技術】
図３は、従来例による発泡性樹脂の注型法を説明する断面図である。従来例による発泡性樹脂の注型法は、図３に示すように、樹脂型のコア部１とキャビティ部２の間に注入口１５を経由してパッド３となる樹脂を注入する。その後、素早く注入口１５の上に上蓋４を置きパッド３となる樹脂の発泡によるキャビティ部２と上蓋４の浮き上がりを防ぐための重し５を載せ成形を行うようになされている。
なお、従来より発泡ウレタン成型に関する射出成型技術として、特開平１１−１５５０８９号公報では、軟質塩化ビニール、ゴム材、プラスチック材を成形加工して、外表面をショルダパッド形状に保形し、また、クッション材として外圧に対し変形速度が速い軟質発泡ウレタンを用いるようにしたビデオカメラのショルダパッドが開示されている。
また、特開２０００−２１７０２０号公報では、ウレタンフォームにより外表面を滑り難く、且つ柔軟性、耐久性を持たせるとともに、表皮内にプラスチック材の粉体あるいはシリコンのゲル状体からなる流動体を充填したビデオカメラのショルダパッドが開示されている。さらに、特開平８−２７５０３７号公報では、シリコンゴムの被覆層をシリコンゴムに浸漬して形成して外表面を形成すると共に、芯材をウレタンスポンジとしたショルダパッドが開示されている。また、特開平８−１８１８９５号公報では、芯材（強化プラスチック）の下側に弾性のパッド部材（シリコン系発泡材）を設けた２層構造を有するショルダーパッドが開示されている。
【０００３】
【発明が解決しようとする課題】
図３に示した従来の発泡性樹脂を用いたパッドの成形は、容器から所定量の樹脂を注型型の注入口１５から型内へ注入した後、素早く手作業で注入口１５を上蓋４で塞ぎ、発泡圧力を抑えるために上蓋４に重し５を載せ成形していた。このため、作業は煩雑となり、ミスが発生しやすく、重し５が移動せぬように監視も必要であり、品質も不安定であった。また、重し５となる重量物を上げ下げするため、作業もきつく、安全性の問題もあった。
また、上記各公報に示した射出成型では、良品が製作できるものの、１個当たりの単価が高くなり、カメラ操作者の体型と操作法の要望に応じた対応ができないという問題点があった。
【０００４】
本発明は上述した点に鑑みてなされたもので、従来技術の問題点である発泡性樹脂の注入口を簡単な作業で塞ぎ、発泡圧力を重しなしで抑え、また、監視作業も不要でパッドの注型作業をミスなく安全に行えるとともに、低コストでカメラ操作者の体型と操作法の要望に応じた対応ができるパッドの注型成型用治具を提供することを目的とする。
【０００５】
【課題を解決するための手段】
前記目的を達成するために、本発明に係るパッドの注型用治具は、パッドの素材となる発泡性樹脂を注入し、発泡完了して注型品を抽出する際のパッドの注型用治具であって、コア部およびキャビティ部より成る任意の型と、前記型を挟み込み、締結手段により締結される下側抑え板および上側抑え板とを備え、前記上側抑え板には、発泡性樹脂を注入する注入口及び当該注入口を閉じるための注入口栓を設けたことを特徴とするものである。この構成によれば、発泡性樹脂注入口を簡単な作業で塞ぎ、発泡圧力を重しなしで抑え、また、監視作業も不要でパッドの注型作業をミスなく安全に行え得ると共に、発泡性樹脂の注型成型時に発泡圧力を抑え所定の形状と硬度を得ることができる。
【０００６】
この場合、前記コア部およびキャビティ部よりなる任意の型としては、積層法、形状転写法、高速切削法等のラピッドプロトタイピング技術を用いて作成された型を用いることができ、型作成費用の低減および型作成時間短縮の大幅な効果がある。
【０００７】
また、前記注入口栓は、前記上側抑え板にレバーと共に固定支持され、レバーの動作に応じて注入口を開閉し、注入口を閉じた際にレバーをロックすることで、注入口栓が閉じた状態にてロックされることを特徴とするものである。この構成によれば、レバー操作により発泡性樹脂注入口を簡単に塞ぐことができる。なお、注入口栓は、必ずしも支持部に固定されていなくても良い。
【０００８】
【発明の実施の形態】
図１及び図２は、本発明に係るパッドの注型用治具を示す断面図及び外観図である。図１及び図２に示すように、樹脂型のコア部１とキャビティ部２となる型を下側抑え板６と上側抑え板７で挟み、締結手段となるボルト８とナット９で強固に締結し、パッド３の素材となる発泡性ウレタン樹脂が発泡してもキャビティ部２の浮き上がりを防ぐようになされている。また、樹脂の注入口１５を塞ぐため、先端に注入口栓１４を付けた注入口栓支持部１３及び該支持部１３を一体化させて動かすためのレバー１２をレバー固定部１０にピン１１を介して留め、さらに、レバー固定部１０を上側抑え板７の上に固定している。
【０００９】
本治具を用いた注型作業時は、注入口１５よりパッド３となる樹脂を注入し、レバー１２により注入口１５を注入口栓１４で塞ぎ、樹脂が発泡しても重しは不要で品質も一定に、かつ安全に作業が可能となる。また、図４は、本発明の他の実施の形態でのコア部およびキャビティ部より成る型の断面を示した図である。コア部１´及びキャビティ部２´は、光造形を用いた積層法により作成した。図中Ｐは積層ピッチである。数時間で低コストのコア部およびキャビティ部より成る型の作成が可能である。積層法等で作成した型は強度が弱いが、上下抑え板６，７で挟まれているので強度的にも十分適用可能である。本実施例では、光造形を用いたが、光造形モデルを転写したコア部およびキャビティ部より成る型を用いることも可能である。更に切削性のよい樹脂を高速切削した型も強度ある抑え板を用いることで適用可能である。
【００１０】
従って、上記実施の形態によれば、次の優れた効果を発揮する。
（１）容器から所定量の樹脂を注型型内に容易に注入できる。
（２）発泡圧力を抑えるための重しが不要となるため、作業も重量物の上げ下げがなくなり、安全性も向上する。
（３）成型中、重しの移動の監視が不要となり、品質も安定する。
（４）本治具と樹脂製または金属製型を組み合わせて成型した発泡性樹脂製注型品は、仕上げ表面が緻密・平滑に仕上がり、かつその後、植毛も行い、高級感を出せ、商品価値が高まる。
（５）本実施例では、型に注入している樹脂として発泡性ウレタン樹脂を用いたが、本発明はウレタン樹脂に限ることなく発泡性樹脂であれば適用できることは明らかである。
【００１１】
【発明の効果】
以上のように、本発明によれば、発泡性樹脂の注入口を簡単な作業で塞ぎ、発泡圧力を重しなしで抑え、また、監視作業も不要でパッドの注型作業をミスなく安全に行えるという効果を奏する。また良いパッドを安価に製作できるので、カメラ操作者の体型と操作法の要望に応じた対応をとることもできる。
【図面の簡単な説明】
【図１】本発明に係るパッドの注型用治具を示す断面図である。
【図２】本発明に係るパッドの注型用治具を示す外観図である。
【図３】従来例による発泡性樹脂の注型法を説明する断面図である。
【図４】本発明の他の実施の形態でのコア部およびキャビティ部より成る型の断面図である。
【符号の説明】
１　コア部、２　キャビティ部、３　パッドとなる樹脂、４　上蓋、５　重し、６　下側抑え板、７　上側抑え板、８　ボルト、９　ナット、１０　レバー固定部、１１　ピン、１２　レバー、１３　注入口栓支持部、１４　注入口栓、１５　注入口。
【図１】
2004009590.tif 000003
【図２】
2004009590.tif 000004
【図３】
2004009590.tif 000005
【図４】
2004009590.tif 000006